(57)【要約】【課題】吸込口体の操作力の増大を抑制しつつ、単に払拭するよりも効率的に被掃除面を磨き上げることの可能な吸込口体および電気掃除機を提案する。【解決手段】吸込口体２６は、底面に吸込口２８を有する吸込口本体３２と、吸込口本体３２に回転自在に軸支される軸部５７と軸部５７の径方向へ延びる線形状の毛ブラシ５８とを有して吸込口２８に配置される回転清掃体２９と、袋形状を有し毛ブラシ５８を覆って回転清掃体２９と回転一体化する円筒面状の清掃面６５ａを有する着脱自在な袋状回転清掃体６５と、を備える。【選択図】  図７
2012139434.tif 000002
【特許請求の範囲】
【請求項１】
底面に吸込口を有する吸込口本体と、
前記吸込口本体に回転自在に軸支される軸部と前記軸部の径方向へ延びる線形状または板形状の第一清掃部材とを有して前記吸込口に配置される回転清掃体と、
袋形状を有し前記第一清掃部材を覆って前記回転清掃体と回転一体化する円筒面状の清掃面を有する着脱自在な第二清掃体と、を備えたことを特徴とする吸込口体。
【請求項２】
前記第二清掃体は、前記回転清掃体が通り抜け自在であり、かつ開口径を絞ると前記第一清掃部材の抜け出しを抑制可能な開口を有することを特徴とする請求項１に記載の吸込口体。
【請求項３】
前記第二清掃体は、回転方向に対して傾斜した網目状の凹凸を有することを特徴とする請求項１または２に記載の吸込口体。
【請求項４】
前記凹凸は、織物、編物、不織布または樹脂製フィルムで形成された格子であることを特徴とする請求項３に記載の吸込口体。
【請求項５】
前記第二清掃体は、袋形状の表裏で網目の異なる前記網目状の凹凸を有することを特徴とする請求項３または４に記載の吸込口体。
【請求項６】
請求項１から５のいずれか１項に記載の吸込口体を備えたことを特徴とする電気掃除機。
【発明の詳細な説明】
【技術分野】
【０００１】
本発明に係る実施形態は、吸込口体および電気掃除機に関する。
【背景技術】
【０００２】
底面に吸込口を有する吸込口本体と、吸込口本体に回転自在に軸支された軸部と軸部の径方向へ延びる板形状のブレード（または、軸部の径方向へ延びる線状の毛ブラシ）とを有して吸込口に配置される回転清掃体と、を備えた吸込口体が知られている。
【０００３】
ブレードや毛ブラシは、回転清掃体の回転にともなって旋回し、じゅうたんやフローリングなどの被掃除面を掻き上げて塵埃を除去する。
【０００４】
ところで、ブレードや毛ブラシは、軸部の周囲に複数設けられているが、それぞれのブレードは被掃除面に対して線状に接触し、それぞれの毛ブラシは被掃除面に対して点状に接して塵埃を掻き上げる。このため、ブレードや毛ブラシは、凹凸の少ないフローリングのような被掃除面を磨き上げたような状態に掃除することが難しい。
【０００５】
そこで、回転清掃体の他に、被掃除面を臨む平面を有する台座と、台座に設けられた織布、不織布、編布およびティッシュペーパなどの払拭部材と、を備えた吸込口体が知られている。
【先行技術文献】
【特許文献】
【０００６】
【特許文献１】特開２００７−１６７２５５号公報
【発明の概要】
【発明が解決しようとする課題】
【０００７】
台座の平面に払拭部材を備えた電気掃除機は、ブレードや毛ブラシに比べて被掃除面に大きな接触部分を有するので凹凸の少ないフローリングのような被掃除面を磨き上げたような状態に掃除することが可能になる。
【０００８】
しかしながら、払拭部材の接触面積の拡大は、吸込口体を前後移動させるために必要な操作力の増加を招き、しかも払拭部材の接触面の至る所に通気孔を設けて塵埃を吸い込もうとすれば、吸込口体の前後移動に要する操作力はさらに増大する。すなわち、吸込口体の前後移動に要する操作力は、払拭部材と被掃除面との摩擦によって支配される。
【０００９】
そこで、本発明は、吸込口体の操作力の増大を抑制しつつ、単に払拭するよりも効率的に被掃除面を磨き上げることの可能な吸込口体および電気掃除機を提案する。
【課題を解決するための手段】
【００１０】
前記の課題を解決するため本発明の実施形態に係る吸込口体は、底面に吸込口を有する吸込口本体と、前記吸込口本体に回転自在に軸支される軸部と前記軸部の径方向へ延びる線形状または板形状の第一清掃部材とを有して前記吸込口に配置される回転清掃体と、袋形状を有し前記第一清掃部材を覆って前記回転清掃体と回転一体化する円筒面状の清掃面を有する着脱自在な第二清掃体と、を備えたことを特徴とする。
【００１１】
また、本発明の実施形態に係る電気掃除機は、前記吸込口体を備えたことを特徴とする。
【図面の簡単な説明】
【００１２】
【図１】本発明の実施形態に係る電気掃除機の外観を示した斜視図。
【図２】本発明の実施形態に係る吸込口体を示した斜視図。
【図３】本発明の実施形態に係る吸込口体の内部を示した斜視図。
【図４】本発明の実施形態に係る吸込口体の回転清掃体を示した斜視図。
【図５】本発明の実施形態に係る吸込口体の回転清掃体を示した縦断面図。
【図６】本発明の実施形態に係る吸込口体の回転清掃体を示した横断面図。
【図７】本発明の実施形態に係る吸込口体の袋状回転清掃体を示した斜視図。
【図８】本発明の実施形態に係る吸込口体の袋状回転清掃体を示した縦断面図。
【図９】本発明の実施形態に係る吸込口体の袋状回転清掃体を示した横断面図。
【発明を実施するための形態】
【００１３】
本発明に係る電気掃除機の実施形態について図１から図９を参照して説明する。
【００１４】
図１は、本発明の実施形態に係る電気掃除機の外観を示した斜視図である。
【００１５】
図１に示すように、電気掃除機１は、いわゆるキャニスタ型の電気掃除機である。電気掃除機１は、被掃除面上を走行する掃除機本体２と、掃除機本体２に着脱自在に接続された管部３と、を備える。
【００１６】
掃除機本体２は、本体ケース５と、本体ケース５の両側方に軸支された一対の車輪６と、本体ケース５に着脱自在に装着された塵埃分離集塵部７と、塵埃分離集塵部７に連通された電動送風機８と、主に電動送風機８の運転を制御する本体制御部９と、電動送風機８に電力を導く電源コード１１と、を備える。
【００１７】
本体ケース５は、塵埃分離集塵部７に連通された本体接続口１２を有する。
【００１８】
車輪６は、大径の走行輪である。
【００１９】
塵埃分離集塵部７は、電動送風機８が発生させる負圧によって電気掃除機１に吸い込まれる含塵空気（塵埃を含んだ空気）から塵埃を分離し、捕集する。
【００２０】
本体制御部９は、予め設定された複数の運転モードを有する。また、本体制御部９は、管部３から読み取る操作信号に対応する任意の運転モードを複数の運転モードから択一的に選択し、選択した運転モードにしたがって電動送風機８を運転する。それぞれの運転モードは、管部３から読み取る操作信号に対応付けて互いに異なる入力値（電動送風機８の入力値）を有するよう設定される。
【００２１】
電源コード１１は、自由端部に電源プラグ１６を備える。
【００２２】
管部３は、電動送風機８の運転にともない掃除機本体２から作用する負圧によって、被掃除面から含塵空気を吸い込み掃除機本体２に案内する。管部３は、掃除機本体２の本体接続口１２に着脱自在に接続された接続管１９と、接続管１９に連通された集塵ホース２１と、集塵ホース２１に連通された手元操作管２２と、手元操作管２２から突出させて設けられた把持部２３と、把持部２３に設けられた操作部２４と、手元操作管２２に着脱自在に接続され連通された延長管２５と、延長管２５に着脱自在に接続された吸込口体２６と、を備える。
【００２３】
集塵ホース２１は、可撓で細長い略円筒状を有する。集塵ホース２１の一端は、接続管１９に接続される。集塵ホース２１は、接続管１９を介して掃除機本体２の内部に連通する。
【００２４】
手元操作管２２の一端は、集塵ホース２１の他端に設けられる。手元操作管２２は、接続管１９および集塵ホース２１を介して掃除機本体２の内部に連通する。
【００２５】
把持部２３は、電気掃除機１のユーザが把持して電気掃除機１を操作するものである。把持部２３は、手元操作管２２に設けられる。
【００２６】
操作部２４は、それぞれの運転モードに対応するスイッチを備える。具体的には、操作部２４は、電動送風機８の運転停止操作を受け取る停止スイッチ２４ａと、電動送風機８の運転開始操作を受け取る起動スイッチ２４ｂと、を備える。起動スイッチ２４ｂは、弱運転スイッチ（図示省略）、中運転スイッチ（図示省略）および強運転スイッチ（図示省略）を別個に備える構成にしても良い。電気掃除機１のユーザは、操作部２４を操作して電動送風機８の運転モードを択一的に選択できる。
【００２７】
延長管２５は、伸縮可能な細長略円筒状に形成される。延長管２５は、複数の筒状体を重ね合わせたテレスコピック構造を有する。延長管２５の一端は、手元操作管２２の他端に着脱自在に接続される。延長管２５は、接続管１９、手元操作管２２および集塵ホース２１を介して掃除機本体２の内部に連通する。
【００２８】
吸込口体２６は、延長管２５の他端に着脱自在に接続される。また、吸込口体２６は、木床やカーペットなどの被掃除面上を走行自在な構造を有するとともに、走行状態において被掃除面に対向する底面に吸込口２８を有する。さらに、吸込口体２６は、吸込口体２６に軸支され吸込口２８に配置された回転清掃体２９と、回転清掃体２９を回転駆動させる電動機３１と、を備える。吸込口体２６は、延長管２５、手元操作管２２および集塵ホース２１を介して掃除機本体２の内部に連通する。
【００２９】
電気掃除機１は、起動スイッチ２４ｂで運転開始操作を受け取ると電動送風機８の運転を開始して掃除機本体２の内部に負圧（吸込負圧）を発生する。この負圧は、本体接続口１２から集塵ホース２１と手元操作管２２と延長管２５とを経て吸込口体２６の吸込口２８に作用する。吸込口２８に作用した負圧によって、電気掃除機１は、被掃除面に溜まった塵埃を空気とともに吸込口２８から吸い込んで被掃除面を掃除する。このとき、電気掃除機１は、吸込口２８に吸い込んだ含塵空気を塵埃分離集塵部７によって空気と塵埃とに分離し、分離した塵埃を捕集する。他方、分離された空気は、塵埃分離集塵部７を通過して電動送風機８に吸い込まれた後、掃除機本体２から排気される。
【００３０】
吸込口体２６についてさらに詳述する。
【００３１】
図２は、本発明の実施形態に係る吸込口体を示した斜視図である。
【００３２】
図２に示すように、吸込口体２６は、略直方体形状の箱状の吸込口本体３２と、吸込口本体３２の後部に設けられた接続管部３３と、を備える。
【００３３】
ここで、吸込口体２６の前進方向（図２中、実線矢Ｘ）を前方、その反対方向を後方とする。また、吸込口体２６を床面などの略水平な被掃除面に配置させた状態で、後から前を見たときの左側（図２中、実線矢Ｙ）を左方、その反対方向を右方とする。さらに、吸込口体２６の前後方向および左右方向に直交する右手座標系の＋Ｚ方向を上方とし、その反対方向を下方とする。
【００３４】
吸込口本体３２は、平面視において前後方向に短辺、左右方向に長辺を有する長方形状のケース体３５を備える。ケース体３５は、上方が開放された箱状の下ケース３６と、下ケース３６を覆う上ケース３７および蓋ケース３８と、を備える。
【００３５】
接続管部３３は、吸込口本体３２の後部側の幅方向略中央部に配置される。また、接続管部３３は、吸込口本体３２に軸支された回転接続管部３９と、回転接続管部３９に軸支された揺動接続管部４１と、を備える。
【００３６】
回転接続管部３９は、吸込口本体３２によって吸込口体２６の前後方向に沿う軸（Ｘ軸に一致する軸またはＸ軸に平行な軸）回りに回動自在に軸支される。
【００３７】
揺動接続管部４１は、回転接続管部３９に揺動自在に設けられる。すなわち、揺動接続管部４１は、回転接続管部３９の回転軸（Ｘ軸に一致する軸またはＸ軸に平行な軸）に直交する軸回りに揺動自在に軸支される。また、揺動接続管部４１の自由端部は、延長管２５の自由端部に着脱自在に接続される。
【００３８】
図３は、本発明の実施形態に係る吸込口体の内部を示した斜視図である。なお、図３は、上ケース３７および蓋ケース３８を除去して示した図である。
【００３９】
図３に示すように、吸込口体２６の下ケース３６は、上方が開放された箱状体であり、回転清掃体２９が収容された吸込室４２、電動機３１が収容された機械室４３および吸込口体制御部４５が収容された制御室４６を区画する内壁４７を備える。
【００４０】
なお、上ケース３７は機械室４３および制御室４６の上方に覆い被さり、蓋ケース３８は吸込室４２の上方に覆い被さる。
【００４１】
吸込室４２は吸込口体２６の前半部に区画され、機械室４３は吸込口体２６の左側後半部から左側部に渡って区画され、制御室４６は吸込口体２６の右側後半部に区画される。機械室４３と制御室４６とは離隔されている。
【００４２】
吸込室４２は、吸込口体２６底面の吸込口２８に連続する空間であり、吸込口体２６の幅方向に延びる空間である。
【００４３】
回転清掃体２９は、吸込口体２６の幅方向に回転軸を向けて着脱自在に保持されており、吸込室４２から取り出すことができる。
【００４４】
電動機３１は、吸込室４２の後方左寄りに配置される。電動機３１は、回転子（図示省略）および固定子（図示省略）を覆う略円筒形状の外郭４８と、回転子と回転一体の出力軸３１ａと、を備える。外郭４８は中心線（円筒形状部の中心線）を吸込口体２６の幅方向に向ける。出力軸３１ａは、回転子と回転一体な軸であり、外郭４８の中心線と略同軸上にあって外郭４８の一方の底部から吸込口体２６の左側壁の内側に向けて延びる。
【００４５】
吸込口体制御部４５は、掃除機本体２から接続管１９、集塵ホース２１、手元操作管２２および延長管２５を介して供給される電力によって電動機３１を運転する。
【００４６】
吸込口体２６は、吸込室４２と接続管部３３（より詳しくは、回転接続管部３９）とを連通するラッパ形状の連通管４９と、電動機３１を機械室４３に弾性支持する弾性支持部５１と、機械室４３にあって吸込室４２に収容された回転清掃体２９に接続する第一プーリ５２と、電動機３１の出力軸３１ａに回転一体に固定された第二プーリ５３と、第一プーリ５２と第二プーリ５３との間に巻掛けられたベルト５５と、を備える。
【００４７】
連通管４９は、機械室４３と制御室４６との間にあり、機械室４３と制御室４６とを隔てる。
【００４８】
弾性支持部５１は、電動機３１の運転にともなう振動がケース体３５に伝わらないよう絶縁する。弾性支持部５１は、シリコンゴムなどのゴム弾性体またはバネなどの弾性体であり、電動機３１の外郭４８とケース体３５との間に介在する。弾性支持部５１は、電動機３１の出力軸３１ａの延長方向に離間された一対の防振部材５６ａ、５６ｂを有する。防振部材５６ａ、５６ｂは、円筒形状の外郭４８のそれぞれの端部を支持する。
【００４９】
第一プーリ５２、第二プーリ５３およびベルト５５は、電動機３１の駆動力を回転清掃体２９に伝達する。
【００５０】
第一プーリ５２は、カップリング（図示省略）によって回転清掃体２９に接続される。
【００５１】
ベルト５５は、機械室４３内であって吸込口体２６の左側部の前側から後側に渡って延び、第一プーリ５２および第二プーリ５３を介して電動機３１と回転清掃体２９との間で動力を伝達する。
【００５２】
図４は、本発明の実施形態に係る吸込口体の回転清掃体を示した斜視図である。
【００５３】
図５は、本発明の実施形態に係る吸込口体の回転清掃体を示した縦断面図である。
【００５４】
図６は、本発明の実施形態に係る吸込口体の回転清掃体を示した横断面図である。
【００５５】
図４から図６に示すように、吸込口体２６の回転清掃体２９は、吸込口本体３２に回転自在に軸支される軸部５７と、軸部５７の径方向へ延びる線形状の毛ブラシ５８（第一清掃部材）と、軸部５７の径方向へ延びる板形状のブレード５９（第一清掃部材）と、軸部５７の両自由端部に設けられた軸受部６１と、を備える。
【００５６】
軸部５７は、円筒形状の基部６２と、基部６２の径外方向に突出して毛ブラシ５８またはブレード５９の起端を保持する腕部６３と、を備える。腕部６３は、基部６２の周方向に見て略均等に配置され、基部６２の長手軸方向に見て螺旋形状を有する。
【００５７】
それぞれの毛ブラシ５８は、軸部５７の腕部６３に保持された起端と、回転清掃体２９の径方向に突出した先端と、を有する。毛ブラシ５８の全体は、軸部５７の回転中心線方向に延びる螺旋壁状に並ぶ。
【００５８】
ブレード５９は、軸部５７の腕部６３に保持された起端と、回転清掃体２９の径方向に突出した先端と、を有するシリコンゴムの板状体である。また、ブレード５９は、軸部５７の回転中心線方向へ螺旋壁状に延びる。
【００５９】
毛ブラシ５８およびブレード５９は軸部５７の周囲を交互に囲み、これらの先端は回転清掃体２９の回転にともなって円筒状の軌跡を描く。
【００６０】
なお、第一清掃部材としての毛ブラシ５８およびブレード５９は、いずれか一方のみ（すなわち、毛ブラシ５８のみ、またはブレード５９のみ）であってもよい。
【００６１】
軸受部６１は、軸部５７に対して回転自在であり、ケース体３５に回転清掃体２９を回転自在、かつ着脱自在に保持する。
【００６２】
なお、回転清掃体２９の回転にともなって、ブレード５９は被掃除面に対して線状に接触し、毛ブラシ５８は被掃除面に対して点状に接して塵埃を掻き上げる。このため、毛ブラシ５８およびブレード５９は、凹凸の少ないフローリングのような被掃除面を磨き上げたような状態に掃除することが難しい。
【００６３】
そこで、本実施形態に係る吸込口体２６は、回転清掃体２９の他に、袋状回転清掃体６５を備える。
【００６４】
図７は、本発明の実施形態に係る吸込口体の袋状回転清掃体を示した斜視図である。
【００６５】
図８は、本発明の実施形態に係る吸込口体の袋状回転清掃体を示した縦断面図である。
【００６６】
図９は、本発明の実施形態に係る吸込口体の袋状回転清掃体を示した横断面図である。
【００６７】
図７から図９に示すように、吸込口体２６は、袋形状を有し、毛ブラシ５８およびブレード５９を覆って回転清掃体２９と回転一体化する円筒面状の清掃面６５ａを有する着脱自在な袋状回転清掃体６５（第二清掃体）を備える。
【００６８】
袋状回転清掃体６５は、回転清掃体２９の回転にともなって毛ブラシ５８およびブレード５９の先端が描く円筒状の軌跡に沿うような円筒面状の清掃面６５ａを有する略円筒形状の袋体である。袋状回転清掃体６５は、織物、編物、不織布または樹脂製フィルムを袋形状に織り、編み、もしくは縫製したものであり、裏返して使用することができる（所謂、リバーシブルである）。
【００６９】
また、袋状回転清掃体６５は、回転清掃体２９が通り抜け自在であり、かつ開口径を絞ると毛ブラシ５８およびブレード５９の抜け出しを抑制可能な開口６５ｂを有する。袋状回転清掃体６５は、開口６５ｂの縁に沿った環状のゴム紐（図示省略）や、ひも（図示省略）を備え、開口６５ｂを絞る。袋状回転清掃体６５は、開口６５ｂに回転清掃体２９を貫き通して毛ブラシ５８およびブレード５９を覆い、開口６５ｂを絞ることによって回転清掃体２９に装着される。他方、袋状回転清掃体６５は、開口６５ｂを緩めて、開口６５ｂから回転清掃体２９を抜き取ることによって回転清掃体２９から取り外される。
【００７０】
さらに、袋状回転清掃体６５は、回転方向に対して傾斜した網目状の凸部６６を有する。凸部６６は、織物、編物、不織布または樹脂製フィルムで形成された格子であり、織ったり、編んだり、縫ったりしたものでも良く、シート状もしくはフィルム状のものでも良い。袋状回転清掃体６５は、袋形状の表裏で網目の異なる網目状の凸部６６ａ、６６ｂを有する。なお、凸部６６は、袋状回転清掃体６５の裏表いずれかのみにあっても良い。
【００７１】
吸込口体２６は、回転清掃体２９に袋状回転清掃体６５を覆い被せると、毛ブラシ５８およびブレード５９に代えて袋状回転清掃体６５の清掃面６５ａを回転させることができる。清掃面６５ａは、毛ブラシ５８およびブレード５９の起端から先端に係る長さ（所謂、毛足の長さ）による弾力性（所謂、腰の強さ）によって被清掃面にしっかりと接地するとともに、吸込口体２６の幅方向へ略一直線に接地する（図９）。そして、清掃面６５ａは、毛ブラシ５８およびブレード５９のように回転にともなって設置箇所が断続することが無く、清掃面６５ａの全幅に渡って、常に被掃除面に接する。これらによって、吸込口体２６は、従来の電気掃除機のように払拭部材を被掃除面に擦り合わせるよりも極めて効率的、かつ効果的に被掃除面を磨き上げることができる。
【００７２】
また、吸込口体２６は、電動機３１によって清掃面６５ａを吸込口体２６の走行速度に比べて高速に回転するので、従来の電気掃除機のように払拭部材と被掃除面との摩擦によって操作力が増大することなく、比較的に軽い力で前後移動でき、操作性が向上できる。
【００７３】
さらに、袋状回転清掃体６５は、織物、編物、不織布または樹脂製フィルムを用いて形成されるため、被掃除面上の水分によって破れたりすることはない。
【００７４】
さらにまた、袋状回転清掃体６５は、開口６５ｂを絞って毛ブラシ５８およびブレード５９が袋外に抜け出さないよう、しっかりと回転清掃体２９に装着できるので、回転清掃体２９の回転にともなって吸込口体２６内に巻き込まれたり、吸い込まれたりすることがない。
【００７５】
また、袋状回転清掃体６５は、清掃面６５ａの凸部６６によって被掃除面をよりきれいに磨き上げることができる。
【００７６】
さらに、袋状回転清掃体６５は、表裏を使用できるので、粗磨き用の面と仕上げ磨き用の面とを備えるように構成したり、表裏を交換したりすることで長寿命に使用できる。
【００７７】
したがって、本実施形態に係る電気掃除機１および吸込口体２６によれば、吸込口体２６の操作力の増大を抑制しつつ、単に払拭するよりも効率的に被掃除面を磨き上げることができる。
【００７８】
なお、本発明に係る電気掃除機１は、キャニスタ型の電気掃除機１に限らず、アップライト型、スティック型、ハンディ型あるいは自律型などの電気掃除機１であってもよい。
【００７９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８０】
１  電気掃除機
２  掃除機本体
３  管部
５  本体ケース
６  車輪
７  塵埃分離集塵部
８  電動送風機
９  本体制御部
１１  電源コード
１２  本体接続口
１６  電源プラグ
１９  接続管
２１  集塵ホース
２２  手元操作管
２３  把持部
２４  操作部
２４ａ  停止スイッチ
２４ｂ  起動スイッチ
２５  延長管
２６  吸込口体
２８  吸込口
２９  回転清掃体
３１  電動機
３１ａ  出力軸
３２  吸込口本体
３３  接続管部
３５  ケース体
３６  下ケース
３７  上ケース
３８  蓋ケース
３９  回転接続管部
４１  揺動接続管部
４２  吸込室
４３  機械室
４５  吸込口体制御部
４６  制御室
４７  内壁
４８  外郭
４９  連通管
５１  弾性支持部
５２  第一プーリ
５３  第二プーリ
５５  ベルト
５６ａ、５６ｂ  防振部材
５７  軸部
５８  毛ブラシ
５９  ブレード
６１  軸受部
６２  基部
６３  腕部
６５  袋状回転清掃体
６５ａ  清掃面
６５ｂ  開口
６６、６６ａ、６６ｂ  凸部
【図１】
2012139434.tif 000003
【図２】
2012139434.tif 000004
【図３】
2012139434.tif 000005
【図４】
2012139434.tif 000006
【図５】
2012139434.tif 000007
【図６】
2012139434.tif 000008
【図７】
2012139434.tif 000009
【図８】
2012139434.tif 000010
【図９】
2012139434.tif 000011